(57)【要約】【課題】映像獲得機器を映像処理装置から取り外し、再度、取り付ける場合や、異なる映像獲得機器に接続する場合にも、設定条件の再入力等の煩雑な作業をすることなく使い勝手のよい映像獲得機器の着脱可能な映像処理装置及びその制御方法を提供すること。【解決手段】映像獲得部３を着脱可能とする映像信号処理装置本体１において、映像獲得機部３を識別する固有情報とその設定情報とを記憶回路１０７に格納しておき、映像獲得機部３が接続された場合には、その映像獲得機部３から固有情報を読み出し、記憶回路１０７に登録（記憶）してある固有情報と比較し、登録されていればその固有情報に関連（対応）する設定情報を記憶回路１０７から自動的に読み出す。【選択図】  図２
2004158992.tif 000002
【特許請求の範囲】
【請求項１】
映像信号を記録、及び／又は、再生する映像信号処理装置において、
前記映像信号再生装置に前記映像信号を伝送する映像獲得機器との接続部と、
前記映像獲得機器に割り当てられた、該映像獲得機器を識別可能な固有情報と、該映像獲得機器の機能を実行するための設定情報と、を格納する記憶部と、
前記接続部に接続された前記映像獲得機器から前記固有情報を検出する固有情報制御部と、
前記固有情報制御部が検出した前記固有情報に基づいて、該固有情報に対応する前記設定情報を前記記憶部から読み出す設定情報制御部と、を有することを特徴とする映像信号処理装置。
【請求項２】
前記設定情報制御部で読み出した前記設定情報を表示する表示部を有することを特徴とする請求項１に記載の映像信号処理装置。
【請求項３】
前記映像信号処理装置は、時計手段を有し、
前記設定情報制御部は、時計手段から得た時刻情報と、前記記憶部から読み出した前記設定情報と、を前記接続部に送信することを特徴とする請求項１に記載の映像信号処理装置。
【請求項４】
前記設定情報の実行内容が、前記映像獲得機器が前記表示部を使用しない機能の実行の場合には、前記設定情報制御部は、該表示部の電源を省電力電源モードに制御することを特徴とする請求項２に記載の映像信号処理装置。
【請求項５】
映像獲得機器を着脱可能とする映像信号処理装置の制御方法において、
前記映像獲得機器が接続された場合には、該映像獲得機器を識別する固有情報を該映像獲得機器から検出する固有情報読出工程と、
前記固有情報読出工程で検出した固有情報と、記録部に予め登録された登録固有情報と、を比較し、検出した固有情報が登録固有情報に有るか否かを判断する固有情報比較工程と、
前記固有情報比較工程で、検出した固有情報が登録固有情報に有ると判断した場合には、前記映像獲得機器の機能を実効するための設定情報を前記記録部より読み出す設定情報読出工程と、
前記設定情報読出工程で読み出した前記設定情報に基づいて前記映像獲得機器を制御する映像獲得機器制御工程と、を有することを特徴とする映像信号処理装置の制御方法。
【請求項６】
前記映像獲得機器制御工程の前に、前記設定情報読出工程で読み出した前記設定情報を表示部に表示し、ユーザから該設定情報の確認を得る設定情報確認工程を有することを特徴とする請求項４に記載の映像信号処理装置の制御方法。
【発明の詳細な説明】
【０００１】
【発明の属する技術分野】
本発明は、映像情報を獲得するカメラやチューナ等の映像獲得機器が着脱可能な映像信号処理装置及びその制御方法に関する。
【０００２】
【従来の技術】
従来、カメラを記録再生装置本体から取り外し可能に構成すると共に、記録再生装置本体はチューナを取り付け接続可能とし、カメラとチューナの何れが接続されたかを検出し、カメラが接続されたことを検出した場合には、装置本体の映像信号処理部にはカメラからの輝度信号と色信号が入力され、音声信号処理部にはマイクからの音声信号が入力され、一方、チューナが接続されたことを検出した場合には、装置本体の映像信号処理部にはチューナからのコンポジット信号が入力され、音声信号処理部にはチューナからの音声信号が入力される構成とした記録再生装置が知られている（例えば、特許文献１参照。）。
【０００３】
また、カメラ本体部に着脱可能なアクセサリを組み合わせたカメラシステムにおいて、アクセサリが不正に使用される場合に撮影機能を制限するために、接続されたアクセサリから所定の情報を読み出して、アクセサリが正規であるか否かを認識する手段を設ける構成が知られている（例えば、特許文献２参照。）。
【０００４】
【特許文献１】
特開平８−２９４０７９号公報（第３頁）
【特許文献２】
特開２００１−１６４９８号公報（第４，第５頁）
【０００５】
【発明が解決しようとする課題】
しかしながら、例えば、特許文献１に記載の技術では、装置本体が本体に接続されるカメラとチューナとを判別して、装置本体の信号ブロックに入力される入力信号をスイッチで切り換えてカメラ及びチューナを択一的に選択し、使い分けするものであったため、カメラやチューナを一旦装置本体から分離すると、カメラ或いはチューナへの電源が供給されなくなるので、分離前に設定した設定情報がカメラ或いはチューナから消えてなくなってしまい、再度、同様の設定情報の入力動作が必要となり、煩雑な作業が必要となる。
【０００６】
また、例えば、特許文献２に記載の技術では、アクセサリが正規であることを識別するだけのものであるので、同一のアクセサリで異なる設定がなされた別のアクセサリが接続された場合に区別することができないという不具合がある。
【０００７】
また、チューナにタイマー録画機能を付加する場合は、チューナに時計手段を備え、また、タイマー設定情報（例えば毎日、毎週ある決まった時間帯を録画する場合）を記憶する必要があるので、リチウム電池等の常時バックアップ電源が必要となるなどの課題があった。
【０００８】
本発明は、前記の問題点を解消するためになされたものであって、映像獲得機器を映像信号処理装置本体から取り外し、再度、取り付ける場合や、異なる映像獲得機器に接続する場合にも、設定条件の再入力等の煩雑な作業をすることなく使い勝手のよい映像獲得機器の着脱可能な映像処理装置及びその制御方法を提供することを目的とする。
【０００９】
【課題を解決するための手段】
本発明では、上記の目的を達成するため、映像獲得機器を着脱可能とする映像信号処理装置において、映像獲得機器を映像信号処理装置に接続し、設定情報を設定した時に、その映像獲得機器を識別する固有情報とその設定情報とを記憶部に格納しておき、映像獲得機器が接続された場合には、その映像獲得機器から固有情報を読み出し、記憶部に登録（記憶）してある固有情報と比較し、登録されていればその固有情報に関連（対応）する設定情報を自動的に記憶部から読み出すことで、再度、設定情報を入力するなどの煩雑な操作を回避できる。尚、映像は、画像を含む。
【００１０】
また、映像獲得機器毎に固有情報を割り振ることで、同一の映像獲得機器が２個以上あっても、其々に設定された設定情報を読み出し、設定することができる。
【００１１】
また、読み出した設定情報をユーザに表示部に提示することで、同一の映像獲得機器が２個以上あっても設定内容を確認できるので、間違った設定内容の機能を実行することがなくなったり、設定内容の微調整等や、変更等を容易に行うことができる。
【００１２】
また、映像信号処理装置側に時計手段を設けて、時刻情報と共に設定情報を映像獲得機器に送信することで、映像獲得機器側に時計手段やその電源を設けることなく予約機能等の時刻情報を必要とする機能も再接続時に実行できるので、映像獲得機器の大型化を避けて予約機能等を確保できる。
【００１３】
また、設定情報の実行内容が、映像獲得機器が表示部を使用しない機能の実行の場合には、表示部の電源を省電力電源モードに制御することで、タイマー録画時の消費電力を低減できる。
【００１４】
【発明の実施の形態】
以下、図面を参照して本発明の実施形態を詳細に説明する。
図１は、映像獲得部（カメラ部或いはチューナ部）と映像信号処理装置本体を接続したカメラ部着脱型記録再生装置の平面図（ａ）と、正面図（ｂ）を示している。
【００１５】
カメラ部着脱型記録再生装置は、図１に示すように、表示部５を備えた映像信号処理装置本体１と、映像信号処理装置本体１に着脱自在に設けられる映像獲得部３とを有している。
【００１６】
表示部５は、映像獲得部３から取り入れた、あるいは映像信号処理装置本体１内の記憶媒体より読み出した映像や画像（以下、「映像」と略記し、「映像」には「画像」を含めるものとする）を表示する表示画面であり、例えば液晶ディスプレイ、プラズマデリスプレイ、有機ＥＬ（エレクトロルミネッセンス）等、映像を表示できるものであればよい。
【００１７】
映像獲得部３は、表示部５に表示する映像を獲得する撮像機器であり、例えば、動画像カメラや静止画像カメラなどの撮像機器や、放送電波から所要のチャネルを同調選択装置であるＴＶチューナ等で構成できる。
【００１８】
映像獲得部３には、各機器が備える機能を実行するにあたり、設定情報（データ、条件）の入力、変更、削除等をユーザが行うために用いる操作ボタンなどの設定入力部７を有している。
【００１９】
図２は、カメラ部着脱型記録再生装置の映像信号処理装置本体１の構成を示す概略ブロック図である。
映像信号処理装置本体１は、図２に示すように、バスラインＢＬ、ＣＰＵ１０１、記憶回路（メモリ）１０７、時計１０９、リチウム電池１１１、表示部電源制御ライン１１３、映像信号ラインＡＬ、音声入力・Ａ／Ｄ変換部・音声信号処理部１１５、音声出力ライン１１７、映像信号処理部１１９、映像信号ラインＶＬ１、映像入力・Ａ／Ｄ変換部１２１、カメラ部映像信号ラインＶＬ２、カメラ信号処理部１２３、表示部５、符号化圧縮伸張部１２５、記録媒体１２７、及び接続部ＣＯＮａを有している。
【００２０】
映像信号処理装置本体１は、接続部ＣＯＮａを介して映像獲得部３と接続される。接続部ＣＯＮａには、バスラインＢＬ、映像信号ラインＡＬ、映像信号ラインＶＬ１、及びカメラ部映像信号ラインＶＬ２の接続端子を有し、映像獲得部３側の各ラインと接続される。
【００２１】
バスラインＢＬは、ＣＰＵ１０１や記憶回路１０７と電気的に接続（以下、電気的な接続を「接続」と略記する場合がある）されており、図３、図４に示す映像獲得部３内のＣＰＵ２１１，３０９とも接続されている。
【００２２】
ＣＰＵ１０１は、後述する固有情報制御（検出／比較）手段１０３と設定情報制御手段１０５を有しており、バスラインＢＬを介して記憶回路１０７へのアクセス（情報の書込、読出、消去等）可能となっている。
【００２３】
また、ＣＰＵ１０１は、リチウム電池１１１による駆動される時計部１０９からの時間情報に基づいて、各種予約機能の制御を行う。例えば、映像信号処理装置本体１にチューナが接続され、表示部５に映像情報を表示する必要のないＴＶ番組の録画モード時には、ＣＰＵ１０１は、表示部５を駆動する図示しない駆動回路に電源を供給する表示部電源制御ライン１１３への電源供給を減少又は断ち、表示画面を暗く又は黒くすることで消費電力の低減を図ることができる。
【００２４】
固有情報制御手段１０３は、映像信号処理装置本体１に接続される映像獲得部３の固有情報を管理する。
【００２５】
固有情報とは、映像信号処理装置本体１に接続可能な映像獲得部３毎に付与された識別情報であり、機種情報や、更に詳細にその映像獲得部自体の機体情報等をいう。
【００２６】
固有情報制御手段１０３は、例えば、固有情報を記憶回路１０７に書込んだり、映像信号処理装置本体１に接続された映像獲得部３の固有情報格納部２１１、３０９（図２，３）に格納されている固有情報を検出し、使用可能か否かの判断や検出された固有情報が記憶回路１０７に既に記録されているか否か（過去に接続されたことがあるかどうか）等を比較するなどの管理を行う。
【００２７】
設定情報制御手段１０５は、接続された映像獲得部３で設定された設定情報（設定条件、データ）をその映像獲得部３の固有情報と関連（対応）付けて記憶回路１０７に記憶したり、記憶回路１０７から読み出して表示部５に表示するなどの管理を行う。
【００２８】
前記設定情報（設定条件、データ）とは、例えば、映像獲得部３がチューナであれば、予約録画機能を実行するための予約情報（予約録画／再生等の予約モード、予約チャネル、予約タイムスケジュール（予約時間含む））等の設定情報などがあり、映像獲得部３が撮像機器であれば撮影する時の設定条件、例えば、ポートレート撮影モードやスポーツ撮影モードなどのモード選択や、各撮影モードでのアイリス、シャッタースピード、及びホワイトバランス設定等がある。
【００２９】
記憶回路１０７は、前記したように映像獲得部３として接続される各機器毎の固有情報と、その固有情報に対応する設定情報と、対応付けて記憶する。
【００３０】
音声入力・Ａ／Ｄ変換部・音声信号処理部１１５は、音声データを図示しないスピーカー等の音声出力部で出力するための処理を行う処理部であり、撮像機器（図３）やチューナ（図４）から音声信号ラインＡＬを介して送信されてくる音声信号を、Ａ／Ｄ変換し、且つ、後述する映像表示と同期させるための遅延処理等を行い、音声出力ライン１１７を介してスピーカー等に送信する。
【００３１】
映像信号処理部１１９は、表示部５に映像信号を表示するための処理を行うものであり、チューナ（図４）から映像信号ラインＶＬ１を介して送信される映像信号をＡ／Ｄ変換する映像入力・Ａ／Ｄ変換部１２１と、撮像機器（図３）から映像信号ラインＶＬ２を介して送信される映像信号を処理するカメラ信号処理部１２３と接続されており、該映像入力・Ａ／Ｄ変換部１２１とカメラ信号処理部１２３の何れかより選択的に映像信号を入力する。
【００３２】
符号化圧縮伸張部１２５は、映像信号と音声信号を記憶媒体１２７に効率よく格納するために符号化圧縮すると共に、該記録媒体１２７に記録された該符号化圧縮信号を表示部５やスピーカー等から出力するために伸張するものであり、音声入力・Ａ／Ｄ変換部・音声信号処理部１１５と映像信号処理部１１９と接続されている。
【００３３】
記憶媒体１２７に記録される映像、音声信号は、カメラ部着脱型記録再生装置の映像獲得部３を用いて記録した信号に限定するものではなく、他の記録装置で記録した信号でもよい。
【００３４】
図３は、映像獲得部３として用いられる撮像機器の一例として静止画像カメラの構成を示す概略ブロック図であり、マイク２０１、音声信号ラインＡＬ、レンズ群２０３、ＣＣＤ（Ｃｈａｒｇｅ  Ｃｏｕｐｌｅｄ  Ｄｅｖｉｃｅ：半導体撮像素子）２０５、ＣＤＳ（Ｃｏｒｒｅｌａｔｅｄ  Ｄｏｕｂｌｅ  Ｓａｍｐｌｉｎｇ：相関２重サンプリング）・Ａ／Ｄ（アナログ／デジタル）変換部２０７、ＴＧ（Ｔｉｍｉｎｇ  Ｇｅｎｅｒａｔｏｒ：タイミング発生器）２０９，ＣＰＵ・固有情報格納部２１１、設定手段７ａ、バスラインＢＬ、及び接続部ＣＯＮｂを有している。
【００３５】
撮像機器は、図２に示した映像信号処理部１の接続部ＣＯＮａと接続部ＣＯＮｂを介して接続され、接続される配線には同一名称、同一符号を示し、その説明を省略する。
【００３６】
音声信号は、マイク２０１、音声信号ラインＡＬを介して音声入力・Ａ／Ｄ変換部・音声信号処理部１１５（図２）に送信される。
【００３７】
被写体像をレンズ群２０３を介して受光した撮像は、ＣＣＤ２０５、ＣＤＳ・Ａ／Ｄ変換部２０７、映像信号ラインＶＬ２を介して、映像信号としてカメラ信号処理部１２３（図２）に送信される。
【００３８】
すなわち、受光した撮像は、撮像を電気信号に変換するＣＣＤ２０５にて、ＣＰＵ・固有情報格納部２１１から出力された水平リセット信号と垂直リセット信号に基づいてＴＧ２０９が発生する水平駆動信号と垂直駆動信号に従って読み出されて電気信号に変換され、ＣＤＳ・Ａ／Ｄ変換部２０７にて撮像信号にいわゆる相関２重サンプリング、Ａ／Ｄ変換等を行って映像信号としてカメラ信号処理部１２３（図２）に伝送される。
【００３９】
ＣＰＵ・固有情報格納部２１１は、その静止画像カメラの機種識別情報や機体識別情報等の固有情報を格納する格納部を有している。
【００４０】
設定手段７ａは、この静止画像カメラの設定入力部７にあたり、撮影する時の設定条件、例えば、ポートレート撮影モードやスポーツ撮影モードなどのモード選択や、各撮影モードでのアイリス、シャッタースピード、及びホワイトバランス設定等を設定できる。
【００４１】
設定手段７ａから入力された設定条件は、ＣＰＵ・固有情報格納部２１１に入力され、この静止画像カメラの設定が実行されると共に、映像信号処理装置本体１のＣＰＵ１０１に固有情報と共に送信され、記憶回路１０７に記録される。
【００４２】
図４は、映像獲得部３として用いられるチューナ部の構成を示す概略ブロック図であり、選局部３０１、中間周波増幅部／検波部３０３、映像信号出力部３０５、映像信号ラインＶＬ１、音声信号出力部３０７、音声信号ラインＡＬ、ＣＰＵ／選局シンセサイザ３０９、設定手段７ｂ、バスラインＢＬ、及び接続部ＣＯＮｃを有している。
【００４３】
チューナ部は、図２に示した映像信号処理部１の接続部ＣＯＮａと接続部ＣＯＮｃを介して接続され、接続される配線には同一名称、同一符号を示し、その説明を省略する。
【００４４】
選局部３０１は、ＣＰＵ／選局シンセサイザ３０９からの制御信号に基づいて所望チャネルの選局、映像中間周波信号の生成し、中間周波増幅部／検波部３０３は、該中間周波信号を増幅し、さらに該変調波から原放送信号を再生する。中間周波増幅部／検波部３０３で再生された映像信号は、映像信号出力部３０５から映像信号ラインＶＬ１を介して映像入力・Ａ／Ｄ変換部１２１（図２）に伝送され、一方、再生された音声信号は、音声信号出力部３０７から映像信号ラインＡＬを介して音声入力・Ａ／Ｄ変換部・音声信号処理部１１５（図２）に伝送される。
【００４５】
ＣＰＵ／選局シンセサイザ３０９は、そのチューナの機種識別情報や機体識別情報等の固有情報を格納する固有情報格納部を有している。
【００４６】
設定手段７ｂは、このチューナの設定入力部７にあたり、例えば、予約再生／録画機能等を実行するための設定情報、例えば予約録画／再生等の予約モード、予約チャネル、予約タイムスケジュール（予約時間含む））等を設定できる。
【００４７】
設定手段７ｂから入力された設定条件は、ＣＰＵ／選局シンセサイザ３０９に入力され、このチューナへの設定が実行されると共に、映像信号処理部１のＣＰＵ１０１に固有情報と共に送信され、記憶回路１０７に記録される。
【００４８】
図５は、本発明の実施形態に係る映像信号処理部１に映像獲得部３を接続した場合の信号処理のフローチャートである。
【００４９】
映像信号処理装置本体１に映像獲得部３が接続されると映像信号処理装置本体１の固有情報制御手段１０３により映像獲得部３の固有情報（第１の固有情報）を検出する（ステップＳ１）。検出できない場合は、映像信号処理部１に不適合な映像獲得部と判断して終了する。
【００５０】
ステップＳ１で検出した固有情報が過去に接続されたことがあるかどうかを調べるために、固有情報制御手段１０３は記憶回路１０７から記録する固有情報（第２の固有情報）を読み出して（ステップＳ２）、上記ステップＳ１で検出した固有情報と比較する（ステップＳ３）。
【００５１】
ステップＳ３にて記憶回路１０７に上記ステップＳ１で検出した固有情報と同一の固有情報が登録されていない場合には、固有情報制御手段１０３は該検出した固有情報を記憶回路１０７に登録する。
【００５２】
上記ステップＳ１で検出した固有情報と同一の固有情報が既に記憶回路１０７に登録済みの場合には、設定情報制御手段１０５が記憶回路１０７から第２の固有情報に対応する設定情報（設定条件）を読み出し（ステップＳ４、Ｓ５）、読み出した設定情報を表示部５に表示する（ステップＳ６）。
【００５３】
ユーザは、表示部５に表示された設定情報の内容を見て、設定情報を変更する場合は、接続した映像獲得部３の操作部７（７ａ，７ｂ）を用いて設定変更操作を行う。係る変更後の設定情報は、映像獲得部３のＣＰＵ（２１１、３０９）から設定情報制御手段１０５に送信され、設定情報制御手段１０５が記憶回路１０７の設定情報を書き換え、更新する（ステップＳ６）。
【００５４】
ユーザが、該設定情報が正しいことを表示部５で確認後（設定情報の変更なし）、該設定情報で映像信号処理装置本体１と映像獲得部３を制御、動作実行する（ステップＳ７）。例えば、映像獲得部３がチューナ部で、タイマー録画中の動作実行（ステップＳ７）を行った場合は、タイマー録画条件を実行すると共に、映像信号処理装置本体１は表示部５の電源を制御することで、装置の消費電力を低減することができる。
【００５５】
尚、ユーザが、該設定情報が正しいことを表示部５で確認後に記憶回路１０７の設定情報の書き換え、更新を行ってもよい。
【００５６】
また、ＣＰＵ１０１には、リチウム電池１１１にバックアップされた時計部１０９が接続されているので、映像信号処理部を駆動する電源（バッテリー）が映像信号処理部より取り外されても、前記の時計部１０９は時刻の継承が可能である。
【００５７】
また、記憶回路１０７は、フラッシュメモリ等の不揮発性メモリを使用することにより、電源（バッテリー）が映像信号処理部から取り外されても記憶が失われることがない構成としている。
【００５８】
上記構成により、映像信号処理装置本体１は、映像信号処理装置本体１に接続される各映像獲得部３の固有情報と設定情報を記憶することで、例えば、接続機器がタイマー録画可能なチューナ部であり、チューナ部で設定したタイマー録画時間が毎日或いは毎週該設定時間に繰り返し録画を行う場合、該チューナ部を映像信号処理装置本体１から取り外し、他の機器である撮像部を用いて使用しても、再度前記のチューナ部を映像信号処理装置本体１に取り付ければ、過去に設定したタイマー録画時間等の設定情報が表示され、設定情報の内容を確認でき、且つ、映像信号処理装置本体１が備える時計部１０９の現在時刻をもとにタイマー録画を実行することができるようになる。
【００５９】
また、映像信号処理装置本体１に接続される映像獲得部３が静止画を撮影する撮像部である場合でも、撮像部で撮影する時の設定条件、例えば、ポートレートモード撮影時に、或いはスポーツモード撮影時に、夫々のアイリス及びシャッタースピード及びＷＢ（ホワイトバランス）情報を映像信号処理部１が記憶しているので、該映像獲得部３を一旦映像信号処理装置本体１から取り外しても再度接続した時は、前回の設定条件で撮影することが可能となる。
【００６０】
また、上記の設定条件は、映像信号処理装置本体１に接続される映像獲得部３の固有情報を基にしているので、同一機能の機器であっても設定条件を識別することができる。つまり、映像信号処理装置本体１に接続された映像獲得部３が撮像部であって、映像信号処理装置本体１を共有して複数の撮像部、例えば、第１の撮像部および第２の撮像部が存在する場合に、第１の撮像部と第２の撮像部が異なる条件で撮影条件が設定されていても、映像信号処理装置本体１は第１の撮像部と第２の撮像部の撮影条件を識別して、夫々の撮像部で設定された設定条件で撮影することが可能となる。
【００６１】
また、映像信号処理装置本体１に接続される映像獲得部３が、チューナ部でありタイマー録画の際は、映像信号処理装置本体１にある表示部５の電源を切ることができるので、タイマー録画時の消費電力を低減できるなどの効果がある。
【００６２】
【発明の効果】
上述したように、本発明によれば、映像獲得機器を着脱可能とする映像信号処理装置において、その映像獲得機器を識別する固有情報とその設定情報とを記憶部に格納しておき、映像獲得機器が接続された場合には、その映像獲得機器から固有情報を読み出し、記憶部に登録（記憶）してある固有情報と比較し、登録されていればその固有情報に関連する設定情報を自動的に読み出すことで、再度、設定情報を入力するなどの煩雑な操作を回避できる。
【００６３】
また、映像獲得機器毎に固有情報を割り振ることで、同一の映像獲得機器が２個以上あっても、其々に設定された設定情報を読み出し、設定することができる。
【００６４】
また、読み出した設定情報をユーザに表示部に提示することで、同一の映像獲得機器が２個以上あっても設定内容を確認できるので、間違った設定内容の機能を実行することがなくなったり、設定内容の微調整等や、変更等を容易に行うことができる。
【００６５】
また、映像信号処理装置側に時計手段を設けて、時刻情報と共に設定情報を映像獲得機器に送信することで、映像獲得機器側に時計手段やその電源を設けることなく予約機能等の時刻情報を必要とする機能も再接続時に実行できるので、映像獲得機器の大型化を避けて予約機能等を確保できる。
【００６６】
また、設定情報の実行内容が、映像獲得機器が表示部を使用しない機能の実行の場合には、表示部の電源を省電力電源モードに制御することで、タイマー録画時の消費電力を低減できる。
【図面の簡単な説明】
【図１】本発明の実施形態に係る記録再生装置の概略平面図（ａ）と概略正面図（ｂ）である。
【図２】本発明の実施形態に係る映像信号処理装置本体１のブロック図である。
【図３】本発明の実施形態に係る撮像部のブロック図である。
【図４】本発明の実施形態に係るチューナのブロック図である。
【図５】本発明の実施形態に係る映像信号処理装置本体１への映像獲得部３の着脱に伴う動作フローチャートである。
【符号の説明】
１  映像信号処理装置本体
３  映像獲得部
５  表示部
ＣＯＮａ，ＣＯＮｂ，ＣＯＮｃ  接続部
１０１  ＣＰＵ
１０３  固有情報制御（検出／比較）手段
１０５  設定情報制御手段
１０７  記憶回路
１０９  時計
１１３  表示部電源制御ライン
２１１  ＣＰＵ・固有情報格納部
３０９  ＣＰＵ／選局シンセサイザ
【図１】
2004158992.tif 000003
【図２】
2004158992.tif 000004
【図３】
2004158992.tif 000005
【図４】
2004158992.tif 000006
【図５】
2004158992.tif 000007